(57)【要約】【課題】映像合成のための特別な信号を用いずに、複数の映像をそれぞれの映像の透明度に関する情報を確保して合成することができる映像表示装置を提供する。【解決手段】映像表示装置１は、デジタルＴＶ放送波の映像源を再生することで映像信号Ｓ１を出力するＴＶ放送再生部１１と、コンテンツを再生するとともに、映像信号Ｓ２の表示領域中の透明度の分布情報を生成して映像合成情報として映像信号に挿入して映像信号Ｓ２を出力するコンテンツ再生部と、映像信号Ｓ１及びＳ２を受信し、映像合成情報に基づいて映像信号Ｓ１とＳ２とを合成して映像信号Ｓ３を出力する映像合成部１３とを有する。【選択図】図２
2010256580.tif 000002
【特許請求の範囲】
【請求項１】
第１の映像源を再生することで第１の映像信号を出力する第１の映像再生部と、
再生されることで前記第１の映像信号より手前に表示される第２の映像源を再生して得られた第２の映像信号に、前記第２の映像信号の表示領域中の透明度の分布情報を前記第２の映像源から生成して映像合成情報として第２の映像信号に挿入して出力する第２の映像再生部と、
前記第１の映像信号及び前記第２の映像信号を受信し、前記第２の映像信号から得られる前記映像合成情報に基づいて前記第１の映像信号と前記第２の映像信号とを合成して第３の映像信号を出力する映像合成部とを有することを特徴とする映像表示装置。
【請求項２】
前記第２の映像再生部は、前記表示領域を複数の分割表示領域に分割し、前記複数の分割表示領域のそれぞれの前記透明度を前記映像合成情報として前記第２の映像信号に挿入することを特徴とする請求項１に記載の映像表示装置。
【請求項３】
第１の映像源を再生して第１の映像信号を出力する第１の映像再生部と、
映像の表示領域中の透明度の分布情報を示す映像合成情報が挿入して配信される第２の映像源を再生して第２の映像信号を出力する第２の映像再生部と、
前記第１の映像信号及び前記第２の映像信号を受信し、前記第２の映像信号から得られる前記映像合成情報に基づいて前記第１の映像信号と前記第２の映像信号とを合成して第３の映像信号を出力する映像合成部とを有することを特徴とする映像表示装置。
【発明の詳細な説明】
【技術分野】
【０００１】
本発明は、映像表示装置に関する。
【背景技術】
【０００２】
コンピュータ上の操作内容に応じてコンピュータ用の表示部に外部映像源からの映像を位置及びサイズを変更して表示する映像表示装置が知られている。
【０００３】
例えば、特許文献１の映像表示装置は、コンピュータ装置と映像信号処理装置とから構成され、コンピュータ装置は、コンピュータ装置の映像信号中に外部映像源からの映像を表示する表示領域を確保する表示領域確保手段と、その表示領域の表示領域情報をコンピュータ装置の映像信号に挿入する表示領域情報挿入手段とを有し、映像信号処理装置は、コンピュータ装置の映像信号から表示領域情報を識別する表示領域情報識別手段と、外部映像源からの映像信号のフォーマットを変更する変更手段と、コンピュータ装置の映像信号と外部映像源からの映像信号とを合成する映像信号合成手段とを有するため、コンピュータ装置を操作することで外部映像源からの映像を所望の位置及びサイズに変更してコンピュータ用の表示部に表示することができる。また、表示領域情報は、コンピュータ装置の映像信号に挿入されるため、映像合成のための特別な信号を通信する必要がない。
【先行技術文献】
【特許文献】
【０００４】
【特許文献１】特開２００７−１３９８６６号公報
【発明の概要】
【発明が解決しようとする課題】
【０００５】
しかし、上記した従来の映像表示装置によると、表示領域情報は、外部映像源からの映像をコンピュータ装置の映像上に重ね合わせる領域を指定するものであるため、透明度の設定された領域を含む外部映像源とコンピュータ装置の映像とを透明度に関する情報を確保したまま合成することができないという問題がある。
【０００６】
従って、本発明の目的は、映像合成のための特別な信号を用いずに、複数の映像をそれぞれの映像の透明度に関する情報を確保して合成することができる映像表示装置を提供することにある。
【課題を解決するための手段】
【０００７】
［１］本発明は、上記した目的を達成するため、第１の映像源を再生することで第１の映像信号を出力する第１の映像再生部と、再生されることで前記第１の映像信号より手前に表示される第２の映像源を再生して得られた第２の映像信号に、前記第２の映像信号の表示領域中の透明度の分布情報を前記第２の映像源から生成して映像合成情報として第２の映像信号に挿入して出力する第２の映像再生部と、前記第１の映像信号及び前記第２の映像信号を受信し、前記第２の映像信号から得られる前記映像合成情報に基づいて前記第１の映像信号と前記第２の映像信号とを合成して第３の映像信号を出力する映像合成部とを有することを特徴とする映像表示装置を提供する。
【０００８】
上記した構成によれば、第２の映像信号に第２の映像源の表示領域中の透明度の分布に関する情報を映像合成情報として挿入し、映像合成部において前記映像合成情報に基づいて第１の映像信号と第２の映像信号とを合成したため、映像合成のための特別な信号を用いずに、複数の映像をそれぞれの映像の透明度に関する情報を確保して合成することができる。
【０００９】
［２］また、本発明は、上記した目的を達成するため、第１の映像源を再生して第１の映像信号を出力する第１の映像再生部と、映像の表示領域中の透明度の分布情報を示す映像合成情報が挿入して配信される第２の映像源を再生して第２の映像信号を出力する第２の映像再生部と、前記第１の映像信号及び前記第２の映像信号を受信し、前記第２の映像信号から得られる前記映像合成情報に基づいて前記第１の映像信号と前記第２の映像信号とを合成して第３の映像信号を出力する映像合成部とを有することを特徴とする映像表示装置を提供する。
【００１０】
上記した構成によれば、予め映像合成情報が挿入された第２の映像源を受信して再生し、映像合成部において前記映像合成情報に基づいて第１の映像信号と第２の映像信号とを合成したため、映像合成のための特別な信号を用いずに、複数の映像をそれぞれの映像の透明度に関する情報を確保して合成することができる。
【発明の効果】
【００１１】
本発明によれば、映像合成のための特別な信号を用いずに、複数の映像をそれぞれの映像の透明度に関する情報を確保して合成することができる。
【図面の簡単な説明】
【００１２】
【図１】本発明の実施の形態に係る映像表示装置の外観を示す概略図である。
【図２】本発明の実施の形態に係る映像表示装置の構成例を示す概略図である。
【図３】本発明の実施の形態に係る映像表示装置の表示領域の一例を示す概略図である。
【図４】本発明の実施の形態に係る映像合成情報の構成の一例を示す概略図である。
【図５】本発明の実施の形態に係る映像表示装置の表示領域の一例を示す概略図である。
【図６】本発明の実施の形態に係る映像表示装置の動作例を示す概略図である。
【発明を実施するための形態】
【００１３】
（映像表示装置の構成）
図１は、本発明の実施の形態に係る映像表示装置の構成例を示す概略図である。
【００１４】
映像表示装置１は、例えば、内蔵されたチューナ、デコーダ等の電子部品を用いて、デジタル放送波から映像情報を受信するとともに、図示しないインターネットからコンテンツを受信して、デジタル放送波から受信した映像情報とともにコンテンツの映像情報を表示処理する装置であって、映像を表示するＬＣＤ（Ｌｉｑｕｉｄ  Ｃｒｙｓｔａｌ  Ｄｉｓｐｌａｙ）パネル等から構成される映像表示部１４を有する。映像表示部１４は、デジタル放送波から受信した映像情報を表示処理してＴＶ放送表示１４０を表示するとともに、ネットワークから受信したコンテンツを表示処理してコンテンツ表示１４１を合成して表示する。
【００１５】
図２は、本発明の実施の形態に係る映像表示装置の構成例を示す概略図である。
【００１６】
映像表示装置１は、アンテナ１０Ａに接続されて放送波を選局するチューナ１０と、チューナ１０によって受信した放送波信号（第１の映像源）を復号して映像信号Ｓ１（第１の映像信号）を出力するＴＶ放送再生部１１（第１の映像再生部）と、インターネット２からコンテンツ（第２の映像源）を受信して再生し映像信号Ｓ２（第２の映像信号）を出力するコンテンツ再生部１２（第２の映像再生部）と、ＨＤＤ（Ｈａｒｄ  Ｄｉｓｋ  Ｄｒｉｖｅ）等によって構成されてコンテンツを記録するコンテンツ記録部１２Ａと、映像信号Ｓ１とＳ２とを合成して映像信号Ｓ３を出力する映像合成部１３と、映像を表示する映像表示部１４とを有する。また、コンテンツ再生部１２は、コンテンツを再生して得られる映像信号に映像合成情報を挿入して映像信号Ｓ２を出力する。映像合成情報は、映像信号Ｓ１とＳ２とを合成するときの合成方法を記述するものである。なお、コンテンツとは、例えば、時計を表示したり、試合結果のスコア表を表示したりするウェブウィジェット等であり、グラフィカルユーザーインターフェースを構成する部分要素、及びその集まりを示す。
【００１７】
図３は、本発明の実施の形態に係る映像表示装置の表示領域の一例を示す概略図である。
【００１８】
表示領域１２０は、コンテンツを再生して得られる映像信号Ｓ２によって表示される表示領域（１９２０ピクセル×１０８０ライン）を示しており、一例として、８ピクセル×９ラインからなる分割表示領域Ａ０〜Ａ２８７９９に分割され、コンテンツが表示される分割表示領域Ａｋ１〜Ａｋ１６を含むコンテンツ表示領域１２１と、コンテンツが表示されない、コンテンツ表示領域１２１以外の領域とを有する。コンテンツが表示されない領域は、映像信号Ｓ１と合成するときに、映像信号Ｓ１をそのまま表示する透明な領域である。コンテンツが表示される（透明度０、Ｔ（Ａｘ）＝１）か表示されない（透明度１００、Ｔ（Ａｘ）＝０）かを示す情報を記述するとき、各分割表示領域に１ビットの情報を与える。
【００１９】
図４は、本発明の実施の形態に係る映像合成情報の構成の一例を示す概略図である。
【００２０】
映像合成情報１２２は、受信したコンテンツに基づいてコンテンツ再生部１２において生成される情報であり、表示領域１２０の１ラインの輝度信号及び色差信号を用いて定義される。輝度信号がＹ０〜Ｙ１９１９の１ピクセルごとに８ビット、色差信号のＣＢ及びＣＲが交互にそれぞれＣＢ０〜ＣＢ９５９及びＣＲ０〜ＣＲ９５９の１ピクセルごとに８ビットを使用するとき、３０７２０ビットの情報となるため、図３に示す分割表示領域Ａ０〜Ａ２８７９９の透明度Ｔ（Ａｘ）がそれぞれ１ビット（０又は１）の情報をすべて含むこととなる。
【００２１】
図５は、本発明の実施の形態に係る映像表示装置の表示領域の一例を示す概略図である。
【００２２】
図４に示す映像合成情報１２２は、各分割表示領域の表示（透明度０、Ｔ（Ａｘ）＝１）又は非表示（透明度１００、Ｔ（Ａｘ）＝０）を表示領域１２０の１ラインを用いて映像合成情報１４２として描画され、コンテンツ表示１４１とともに映像信号Ｓ２としてコンテンツ再生部１２から出力される。
【００２３】
（動作）
以下に、本発明の一実施の形態における映像表示装置の動作を各図を参照しつつ説明する。
【００２４】
ＴＶ放送再生部１１は、アンテナ１０Ａ及びチューナ１０を介して放送波を受信し、利用者によって選択されたチャンネルの番組を再生する。再生された映像信号Ｓ１は、映像合成部１３に出力される。
【００２５】
コンテンツ再生部１２は、インターネット２から取得したコンテンツを再生し、再生された映像信号Ｓ２は、図５に示すように、映像合成情報１４２が挿入されて、映像合成部１３に出力される。また、コンテンツ再生部１２は、予めコンテンツ記録部１２Ａに記録されたコンテンツを再生して映像信号Ｓ２を出力してもよい。
【００２６】
図６（ａ）〜（ｃ）は、本発明の実施の形態に係る映像表示装置の動作例を示す概略図である。
【００２７】
図６（ａ）に示すＴＶ放送再生部１１から出力された映像信号Ｓ１と、図６（ｂ）に示すコンテンツ再生部１２から出力された映像信号Ｓ２は、映像合成部１３に入力される。映像合成部１３は、まず映像信号Ｓ２に含まれる映像合成情報１４２を読み込み、解析することで映像信号Ｓ２の表示領域１２０に含まれる分割表示領域のうち透明として扱う領域（透明度１００、Ｔ（Ａｘ）＝０）及びコンテンツ表示領域１２１（透明度０、Ｔ（Ａｘ）＝１）を認識し、透明として扱う領域については映像信号Ｓ１を表示し、またコンテンツ表示領域１２１についてはコンテンツ表示１４１を表示することで、ＴＶ放送表示１４０に対してコンテンツ表示１４１を合成する。合成された映像は、図６（ｃ）に示すように、各分割表示領域について、Ｓ３＝（１−Ｔ（Ａｘ））×Ｓ１＋Ｔ（Ａｘ）×Ｓ２とすることで、映像信号Ｓ３として映像表示部１４に出力され、映像表示部１４は、ＴＶ放送表示１４０とコンテンツ表示１４１とを表示する。
【００２８】
（実施の形態の効果）
上記した実施の形態によると、映像信号Ｓ２の表示領域の透明度に関する情報である映像合成情報１４２を映像信号Ｓ２に挿入したため、映像合成のための透明度に関する特別な信号を用いずに、それぞれの映像の透明度に関する情報を確保して複数の映像を合成することができる。
【００２９】
また、映像合成情報１４２は、映像信号Ｓ２の毎フレームに挿入されるため、コンテンツ表示１４１にアニメーション等の動きが伴う場合にも適用することができる。
【００３０】
［他の実施の形態］
なお、本発明は、上記実施の形態に限定されず、本発明の趣旨を逸脱しない範囲で種々な変形が可能である。例えば、分割表示領域の透明度は０または１００を指定する他、０〜１００の中間値を、指定できるものであってもよい。その場合、各分割表示領域の情報が増加するため、映像合成情報１４２を映像信号Ｓ２の複数ラインを用いて表示する。また、映像合成情報１２２は、ＹＣＣに限らずよりビット数の大きいＲＧＢ等の映像信号に挿入されるものでもよい。
【００３１】
また、映像合成情報１４２は、コンテンツ再生部１２において生成せずに、インターネット２から取得するコンテンツに予め挿入されている構成であってもよい。
【００３２】
また、上記実施の形態で使用されるＴＶ放送再生部１１と、コンテンツ再生部１２と、映像合成部１３とは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００３３】
１…映像表示装置、２…インターネット、１０…チューナ、１０Ａ…アンテナ、１１…放送再生部、１２…コンテンツ再生部、１２Ａ…コンテンツ記録部、１３…映像合成部、１４…映像表示部、１２０…表示領域、１２１…コンテンツ表示領域、１２２…映像合成情報、１４０…ＴＶ放送表示、１４１…コンテンツ表示、１４２…映像合成情報、Ａ０-Ａ２８７９９…分割表示領域、Ａｋ１-Ａｋ１６…分割表示領域、Ｓ１…映像信号、Ｓ２…映像信号、Ｓ３…映像信号
【図１】
2010256580.tif 000003
【図２】
2010256580.tif 000004
【図３】
2010256580.tif 000005
【図４】
2010256580.tif 000006
【図５】
2010256580.tif 000007
【図６】
2010256580.tif 000008